(57)【要約】【課題】外部機器及びコンテンツの種類等の分類に応じてよりよい画質に調整可能な映像出力システムを提供する。【解決手段】デジタルテレビ２００に、外部機器を分類する機器情報と、当該外部機器から送信されるコンテンツを出力する際に画質調整するための機器画像調整情報と、を対応づけて記憶し、コンテンツを分類するコンテンツ情報と、当該コンテンツを出力する際に画質調整するためのコンテンツ画質調整情報とを対応づけて記憶するテレビ内データベース１２と、ＣＰＵ１０に、コンテンツを送信する外部機器の機器情報に対応する機器画質調整情報と、コンテンツのコンテンツ情報に対応するコンテンツ画質調整情報とをテレビ内データベース１２から取得させる調整情報取得プログラム１３Ｇと、当該機器画質調整情報とコンテンツ画質調整情報とに基づいて算出した総合画質調整情報に基づいて、画質調整を行わせる画質調整プログラム１３Ｈと、を備えた。【選択図】図３
2008035046.tif 000002
【特許請求の範囲】
【請求項１】
外部機器と、前記外部機器と接続されて、前記外部機器により送信されるコンテンツデータに基づく映像を出力するテレビジョン装置と、を備える映像出力システムにおいて、
前記テレビジョン装置は、
前記外部機器を分類するための所定の機器情報と、当該外部機器により送信されるコンテンツデータに基づく映像を前記テレビジョン装置において出力する際の画質を調整するための機器画像調整情報と、を対応づけて記憶するとともに、前記コンテンツを分類するための所定のコンテンツ情報と、当該コンテンツのコンテンツデータに基づく映像を前記テレビジョン装置において出力する際の画質を調整するためのコンテンツ画質調整情報とを対応づけて記憶する記憶手段と、
前記機器情報及び前記機器画質調整情報と、前記コンテンツ情報及び前記コンテンツ画質調整情報とを取得する取得手段と、
前記取得手段により取得された前記機器情報及び前記機器画質調整情報と、前記コンテンツ情報及び前記コンテンツ画質調整情報とに基づいて、前記記憶手段を更新する更新手段と、
前記外部機器により送信されるコンテンツデータに基づく映像を出力する際に、当該外部機器の機器情報に対応する機器画質調整情報と、当該コンテンツのコンテンツ情報に対応するコンテンツ画質調整情報とを前記記憶手段から取得する調整情報取得手段と、
前記調整情報取得手段により取得された前記機器画質調整情報と前記コンテンツ画質調整情報とに基づいて、所定の演算により総合画質調整情報を算出し、当該総合画質調整情報に基づいて、画質調整を行う画質調整手段と、
前記更新手段により前記記憶手段の更新を行う際に、前記記憶手段の記憶容量が更新される情報に対して十分であるか否かを確認する容量確認手段と、
前記容量確認手段により、前記記憶手段の記憶容量が更新される情報に対して十分ではないと判断された場合に、前記取得手段により取得された情報から必要な情報をユーザに選択させる選択手段と、
を備え、
前記更新手段は、前記容量確認手段により、前記記憶手段の記憶容量が更新される情報に対して十分であると判断された場合に、前記記憶手段を更新するとともに、前記容量確認手段により、前記記憶手段の記憶容量が更新される情報に対して十分ではないと判断された場合に、前記選択手段により選択された情報を前記記憶手段に記憶させることにより、前記記憶手段を更新することを特徴とする映像出力システム。
【請求項２】
外部機器と、前記外部機器と接続されて、前記外部機器により送信されるコンテンツデータに基づく映像を出力する映像出力装置と、を備える映像出力システムにおいて、
前記映像出力装置は、
前記外部機器を分類するための所定の機器情報と、当該外部機器により送信されるコンテンツデータに基づく映像を前記映像出力装置において出力する際の画質を調整するための機器画像調整情報と、を対応づけて記憶するとともに、前記コンテンツを分類するための所定のコンテンツ情報と、当該コンテンツのコンテンツデータに基づく映像を前記映像出力装置において出力する際の画質を調整するためのコンテンツ画質調整情報とを対応づけて記憶する記憶手段と、
前記外部機器により送信されるコンテンツデータに基づく映像を出力する際に、当該外部機器の機器情報に対応する機器画質調整情報と、当該コンテンツのコンテンツ情報に対応するコンテンツ画質調整情報とを前記記憶手段から取得する調整情報取得手段と、
前記調整情報取得手段により取得された前記機器画質調整情報と前記コンテンツ画質調整情報とに基づいて、所定の演算により総合画質調整情報を算出し、当該総合画質調整情報に基づいて、画質調整を行う画質調整手段と、
を備えることを特徴とする映像出力システム。
【請求項３】
前記映像出力装置は、
前記機器情報及び前記機器画質調整情報と、前記コンテンツ情報及び前記コンテンツ画質調整情報とを取得する取得手段と、
前記取得手段により取得された前記機器情報及び前記機器画質調整情報と、前記コンテンツ情報及び前記コンテンツ画質調整情報とに基づいて、前記記憶手段を更新する更新手段と、
を備えることを特徴とする請求項２に記載の映像出力システム。
【請求項４】
前記映像出力装置は、
前記更新手段により前記記憶手段の更新を行う際に、前記記憶手段の記憶容量が更新される情報に対して十分であるか否かを確認する容量確認手段と、
前記更新手段は、前記容量確認手段により、前記記憶手段の記憶容量が更新される情報に対して十分であると判断された場合に、前記記憶手段を更新することを特徴とする請求項３に記載の映像出力システム。
【請求項５】
前記映像出力装置は、
前記容量確認手段により、前記記憶手段の記憶容量が更新される情報に対して十分ではないと判断された場合に、前記取得手段により取得された情報から必要な情報をユーザに選択させる選択手段を備え、
前記更新手段は、前記選択手段により選択された情報を前記記憶手段に記憶させることにより、前記記憶手段を更新することを特徴とする請求項４に記載の映像出力システム。
【発明の詳細な説明】
【技術分野】
【０００１】
本発明は、映像出力システムに関する。
【背景技術】
【０００２】
従来、コンテンツを再生する場合に、画質調整を行うコンテンツ再生システムや再生装置が知られている。例えば、ネットワーク上の管理サーバに再生するコンテンツデータを送信し、管理サーバが当該コンテンツの画質特性を解析し、解析結果に基づいて、再生装置の画質調整を行う再生システムも知られている（例えば、特許文献１）。また、キーワードと画質調整用パラメータとを対応づけて記憶しておき、再生するコンテンツのＥＰＧデータに含まれるキーワードに対応する画質調整用パラメータに基づいて画質調整をする再生装置が知られている（例えば、特許文献２）。また、光ディスクに記憶されたコンテンツを再生する際に、当該コンテンツに予め記憶された画質特性に基づいて画質調整を行う再生装置も知られている（例えば、特許文献３）。
【０００３】
ところで、デジタルテレビに、ＣＳチューナ，ＤＶＤプレーヤ，ＶＣＲやゲーム機等の外部機器を接続し、当該外部機器から送信されるコンテンツデータに基づく映像を当該デジタルテレビに出力させる映像出力システムが知られている。
【特許文献１】特開２００３−１５８７０３号公報
【特許文献２】特開２００５−９４０７２号公報
【特許文献３】特開２００５−２９５４３７号公報
【発明の開示】
【発明が解決しようとする課題】
【０００４】
しかしながら、デジタルテレビに接続される外部機器の機種の違い及びコンテンツの種類等により、当該デジタルテレビにおける輝度，コントラスト，色合い，応答速度，画面サイズ等の画質調整値の最適な値が異なるため、異なる外部機器から送信されるコンテンツデータを出力するたび、又は、異なるコンテンツデータを出力するたびに、ユーザが個々に画質調整値を最適なものに設定する必要があり、面倒であった。特許文献１−３に記載の発明は、コンテンツの画質特性のみに基づいて画質調整を行うものであるため本問題を解決することができない。
【０００５】
本発明の課題は、外部機器及びコンテンツの種類等の分類に応じてよりよい画質に調整可能な映像出力システムを提供することである。
【課題を解決するための手段】
【０００６】
請求項１に記載の発明は、外部機器と、前記外部機器と接続されて、前記外部機器により送信されるコンテンツデータに基づく映像を出力するテレビジョン装置と、を備える映像出力システムにおいて、
前記テレビジョン装置は、
前記外部機器を分類するための所定の機器情報と、当該外部機器により送信されるコンテンツデータに基づく映像を前記テレビジョン装置において出力する際の画質を調整するための機器画像調整情報と、を対応づけて記憶するとともに、前記コンテンツを分類するための所定のコンテンツ情報と、当該コンテンツのコンテンツデータに基づく映像を前記テレビジョン装置において出力する際の画質を調整するためのコンテンツ画質調整情報とを対応づけて記憶する記憶手段と、
前記機器情報及び前記機器画質調整情報と、前記コンテンツ情報及び前記コンテンツ画質調整情報とを取得する取得手段と、
前記取得手段により取得された前記機器情報及び前記機器画質調整情報と、前記コンテンツ情報及び前記コンテンツ画質調整情報とに基づいて、前記記憶手段を更新する更新手段と、
前記外部機器により送信されるコンテンツデータに基づく映像を出力する際に、当該外部機器の機器情報に対応する機器画質調整情報と、当該コンテンツのコンテンツ情報に対応するコンテンツ画質調整情報とを前記記憶手段から取得する調整情報取得手段と、
前記調整情報取得手段により取得された前記機器画質調整情報と前記コンテンツ画質調整情報とに基づいて、所定の演算により総合画質調整情報を算出し、当該総合画質調整情報に基づいて、画質調整を行う画質調整手段と、
前記更新手段により前記記憶手段の更新を行う際に、前記記憶手段の記憶容量が更新される情報に対して十分であるか否かを確認する容量確認手段と、
前記容量確認手段により、前記記憶手段の記憶容量が更新される情報に対して十分ではないと判断された場合に、前記取得手段により取得された情報から必要な情報をユーザに選択させる選択手段と、
を備え、
前記更新手段は、前記容量確認手段により、前記記憶手段の記憶容量が更新される情報に対して十分であると判断された場合に、前記記憶手段を更新するとともに、前記容量確認手段により、前記記憶手段の記憶容量が更新される情報に対して十分ではないと判断された場合に、前記選択手段により選択された情報を前記記憶手段に記憶させることにより、前記記憶手段を更新することを特徴としている。
【０００７】
請求項２に記載の発明は、外部機器と、前記外部機器と接続されて、前記外部機器により送信されるコンテンツデータに基づく映像を出力する映像出力装置と、を備える映像出力システムにおいて、
前記映像出力装置は、
前記外部機器を分類するための所定の機器情報と、当該外部機器により送信されるコンテンツデータに基づく映像を前記映像出力装置において出力する際の画質を調整するための機器画像調整情報と、を対応づけて記憶するとともに、前記コンテンツを分類するための所定のコンテンツ情報と、当該コンテンツのコンテンツデータに基づく映像を前記映像出力装置において出力する際の画質を調整するためのコンテンツ画質調整情報とを対応づけて記憶する記憶手段と、
前記外部機器により送信されるコンテンツデータに基づく映像を出力する際に、当該外部機器の機器情報に対応する機器画質調整情報と、当該コンテンツのコンテンツ情報に対応するコンテンツ画質調整情報とを前記記憶手段から取得する調整情報取得手段と、
前記調整情報取得手段により取得された前記機器画質調整情報と前記コンテンツ画質調整情報とに基づいて、所定の演算により総合画質調整情報を算出し、当該総合画質調整情報に基づいて、画質調整を行う画質調整手段と、
を備えることを特徴としている。
【０００８】
請求項３に記載の発明は、請求項２に記載の映像出力システムにおいて、
前記映像出力装置は、
前記機器情報及び前記機器画質調整情報と、前記コンテンツ情報及び前記コンテンツ画質調整情報とを取得する取得手段と、
前記取得手段により取得された前記機器情報及び前記機器画質調整情報と、前記コンテンツ情報及び前記コンテンツ画質調整情報とに基づいて、前記記憶手段を更新する更新手段と、
を備えることを特徴としている。
【０００９】
請求項４に記載の発明は、請求項３に記載の映像出力システムにおいて、
前記映像出力装置は、
前記更新手段により前記記憶手段の更新を行う際に、前記記憶手段の記憶容量が更新される情報に対して十分であるか否かを確認する容量確認手段と、
前記更新手段は、前記容量確認手段により、前記記憶手段の記憶容量が更新される情報に対して十分であると判断された場合に、前記記憶手段を更新することを特徴としている。
【００１０】
請求項５に記載の発明は、請求項４に記載の映像出力システムにおいて、
前記映像出力装置は、
前記容量確認手段により、前記記憶手段の記憶容量が更新される情報に対して十分ではないと判断された場合に、前記取得手段により取得された情報から必要な情報をユーザに選択させる選択手段を備え、
前記更新手段は、前記選択手段により選択された情報を前記記憶手段に記憶させることにより、前記記憶手段を更新することを特徴としている。
【発明の効果】
【００１１】
請求項１に記載の発明によれば、テレビジョン装置において、記憶手段により、外部機器を分類するための所定の機器情報と、当該外部機器により送信されるコンテンツデータに基づく映像を当該テレビジョン装置において出力する際の画質を調整するための機器画像調整情報と、を対応づけて記憶するとともに、コンテンツを分類するための所定のコンテンツ情報と、当該コンテンツのコンテンツデータに基づく映像を当該テレビジョン装置において出力する際の画質を調整するためのコンテンツ画質調整情報とが対応づけられて記憶され、外部機器により送信されるコンテンツデータに基づく映像を出力する際に、調整情報取得手段により、当該外部機器の機器情報に対応する機器画質調整情報と、当該コンテンツのコンテンツ情報に対応するコンテンツ画質調整情報とが記憶手段から取得され、画質調整手段により、調整情報取得手段により取得された機器画質調整情報とコンテンツ画質調整情報とに基づいて、所定の演算により総合画質調整情報が算出され、当該総合画質調整情報に基づいて、画質調整が行われるので、外部機器及びコンテンツの種類等の分類に応じた画質調整が行われることとなって、外部機器及びコンテンツの種類等の分類に応じてよりよい画質に調整することができる。
【００１２】
また、テレビジョン装置において、取得手段により、機器情報及び機器画質調整情報と、コンテンツ情報及びコンテンツ画質調整情報とが取得され、更新手段により、取得手段によって取得された機器情報及び機器画質調整情報と、コンテンツ情報及びコンテンツ画質調整情報とに基づいて、記憶手段が更新されるので、記憶手段に記憶される機器情報及び機器画質調整情報と、コンテンツ情報及びコンテンツ画質調整情報とを新しい情報に保つことができ、新たな外部機器が接続されたり、新たなコンテンツのコンテンツデータが送信されても、好適に画質調整を行うことができる。
【００１３】
また、テレビジョン装置において、容量確認手段により、更新手段により記憶手段の更新を行う際に、記憶手段の記憶容量が更新される情報に対して十分であるか否かが確認され、更新手段は、容量確認手段によって、記憶手段の記憶容量が更新される情報に対して十分であると判断された場合に、記憶手段を更新するので、記憶手段の記憶容量が足りなくなってエラーが生じてしまうことを防ぐことができる。
【００１４】
また、テレビジョン装置において、選択手段により、容量確認手段によって、記憶手段の記憶容量が更新される情報に対して十分ではないと判断された場合に、取得手段によって取得された情報から必要な情報をユーザに選択させ、更新手段は、選択手段によって選択された情報を記憶手段に記憶させることにより、記憶手段を更新するので、更新が必要な情報のみを選択して記憶手段を更新することができることとなって、記憶容量の使用効率を向上できる。
【００１５】
請求項２に記載の発明によれば、映像出力装置において、記憶手段により、外部機器を分類するための所定の機器情報と、当該外部機器により送信されるコンテンツデータに基づく映像を当該映像出力装置において出力する際の画質を調整するための機器画像調整情報と、を対応づけて記憶するとともに、コンテンツを分類するための所定のコンテンツ情報と、当該コンテンツのコンテンツデータに基づく映像を当該映像出力装置において出力する際の画質を調整するためのコンテンツ画質調整情報とが対応づけられて記憶され、外部機器により送信されるコンテンツデータに基づく映像を出力する際に、調整情報取得手段により、当該外部機器の機器情報に対応する機器画質調整情報と、当該コンテンツのコンテンツ情報に対応するコンテンツ画質調整情報とが記憶手段から取得され、画質調整手段により、調整情報取得手段により取得された機器画質調整情報とコンテンツ画質調整情報とに基づいて、所定の演算により総合画質調整情報が算出され、当該総合画質調整情報に基づいて、画質調整が行われるので、外部機器及びコンテンツの種類等の分類に応じた画質調整が行われることとなって、外部機器及びコンテンツの種類等の分類に応じてよりよい画質に調整することができる。
【００１６】
請求項３に記載の発明によれば、請求項２に記載の発明と同様の効果が得られることは勿論のこと、特に、映像出力装置において、取得手段により、機器情報及び機器画質調整情報と、コンテンツ情報及びコンテンツ画質調整情報とが取得され、更新手段により、取得手段によって取得された機器情報及び機器画質調整情報と、コンテンツ情報及びコンテンツ画質調整情報とに基づいて、記憶手段が更新されるので、記憶手段に記憶される機器情報及び機器画質調整情報と、コンテンツ情報及びコンテンツ画質調整情報とを新しい情報に保つことができ、新たな外部機器が接続されたり、新たなコンテンツのコンテンツデータが送信されても、好適に画質調整を行うことができる。
【００１７】
請求項４に記載の発明によれば、請求項３に記載の発明と同様の効果が得られることは勿論のこと、特に、映像出力装置において、容量確認手段により、更新手段により記憶手段の更新を行う際に、記憶手段の記憶容量が更新される情報に対して十分であるか否かが確認され、更新手段は、容量確認手段によって、記憶手段の記憶容量が更新される情報に対して十分であると判断された場合に、記憶手段を更新するので、記憶手段の記憶容量が足りなくなってエラーが生じてしまうことを防ぐことができる。
【００１８】
請求項５に記載の発明によれば、請求項４に記載の発明と同様の効果が得られることは勿論のこと、特に、映像出力装置において、選択手段により、容量確認手段によって、記憶手段の記憶容量が更新される情報に対して十分ではないと判断された場合に、取得手段によって取得された情報から必要な情報をユーザに選択させ、更新手段は、選択手段によって選択された情報を記憶手段に記憶させることにより、記憶手段を更新するので、更新が必要な情報のみを選択して記憶手段を更新することができることとなって、記憶容量の使用効率を向上できる。
【発明を実施するための最良の形態】
【００１９】
以下、図を参照して、本発明に係る映像出力システムを実施するための最良の形態を詳細に説明する。
【００２０】
（第１の実施形態）
まず、本発明の第１の実施形態に係る映像出力システム１０００は、例えば、外部機器１００，・・・と、当該外部機器１００と接続されて、外部機器１００により送信されるコンテンツデータに基づく映像を出力するデジタルテレビ２００（映像出力装置，テレビジョン装置）と、当該デジタルテレビ２００とネットワークを介して接続されるサーバ３００等を備えて構成されている。
また、外部機器１００，・・・とデジタルテレビ２００とは、例えば、ＤＬＮＡ（Digital  Living  Network  Alliance）等のネットワークにより接続されている。また、デジタルテレビ２００とサーバ３００とは、ＷＡＮ等のネットワークにより接続されている。
【００２１】
サーバ３００は、例えば、データベース３０１を備えて構成されている。
データベース３０１は、例えば、ＨＤＤ等を備えて構成され、図２に示すように、外部機器１００を分類するための所定の機器情報と、当該外部機器１００により送信されるコンテンツデータに基づく映像を当該デジタルテレビ２００において出力する際の画質を調整するための機器画質調整情報と、を対応づけて記憶するとともに、コンテンツを分対するための所定のコンテンツ情報と、当該コンテンツのコンテンツデータに基づく映像を当該デジタルテレビ２００において出力する際の画質を調整するためのコンテンツ画質調整情報と、を対応づけて記憶している。
【００２２】
ここで、所定の機器情報としては、例えば、図２に示すように、ＨＤＤ，ＤＶＤ，放送，ＶＣＲ等の機器種類情報、Ａ社，Ｂ社，Ｃ社等のメーカー情報、Ａ１００，ＸＶ−１０，ＢＫ００１等の機器名等が含まれる。
また、所定のコンテンツ情報としては、例えば、図２に示すように、映画，音楽，スポーツ，ニュース等のコンテンツ種類情報、Ｘ社，ＭＭＴＶ，ＮＮＨＫ，ＣＣＮＮ等のメーカー情報、マックス，ＭＩＩＳＩＡ，大相撲，ｘｘニュース等のタイトル情報等が含まれる。
また、機器画質調整情報，コンテンツ画質調整情報としては、例えば、色情報，輝度情報，コントラスト情報，色合い情報，応答速度情報，画面サイズ等が含まれる。
【００２３】
デジタルテレビ２００は、例えば、図３に示すように、アンテナ１，チューナ部２，復調部３，分離部４，デコーダ５，通信部６，リモコン受信回路７，リモコンＲ，表示部８，スピーカ９，ＣＰＵ（Central  Processing  Unit）１０，ＲＡＭ（Random  Access  Memory）１１，テレビ内データベース１２，記憶部１３等を備えて構成されている。
【００２４】
アンテナ１は、例えば、パラボラアンテナやＵＨＦアンテナ等であり、地上波デジタル放送，ＢＳ・ＣＳ放送等のコンテンツデータを含む放送波を受信し、地上波デジタル信号，ＢＳ・ＣＳ放送信号等のＲＦ（Radio  Frequency）信号をチューナ部２に出力する。なお、ＣＡＴＶ回線を介してコンテンツデータを受信する場合には、接続ケーブル（図示省略）等が備えられてもよい。また、例えば、放送波に含まれる物理チャンネルのコンテンツデータは、ＭＰＥＧ２−ＴＳ方式により多重化されている。
【００２５】
チューナ部２は、ミキサ（図示省略），選局回路（図示省略），Ａ／Ｄ変換回路（図示省略）等を備えて構成され、ミキサ，選局回路等により、アンテナ１から入力されたＲＦ信号が、ユーザが所望するチャンネルのＩＦ（Intermediate  Frequency）信号に変換され、Ａ／Ｄ変換回路により、生成されたＩＦ信号がデジタル信号であるコンテンツデータに変換される。
【００２６】
復調部３は、例えば、チューナ部２から入力されるコンテンツデータに復調処理等を行って、分離部４に出力する。
【００２７】
分離部４は、例えば、復調部３から入力されるコンテンツデータをビデオデータ，オーディオデータ，ＰＳＩ／ＳＩ（Program  Specific  Information／Service  Information）に分離し、デコーダ５に出力する。
【００２８】
デコーダ５は、分離部４から入力されるビデオデータ及びオーディオデータに復号処理を行って、表示部８，スピーカ９に出力する。
【００２９】
通信部６は、例えば、外部機器１００，・・・とデジタルテレビ２００との間の通信を行うとともに、デジタルテレビ２００とサーバ３００との間の通信を行う。
【００３０】
リモコン受信回路７は、例えば、リモコンＲから出力された操作信号をＣＰＵ１０に出力する。より具体的には、リモコン受信回路７は、リモコンＲからの赤外線信号を電気信号に変換し、ＣＰＵ１０に出力する。
【００３１】
リモコンＲは、例えば、各種の操作信号を入力するための各種のキー等を備え、ユーザにより操作されることによって、各種の操作信号を、リモコン受信回路７を介してＣＰＵ１０に出力する。
例えば、リモコンＲは、後述するテレビ内データベース１２を更新する情報として必要な情報を選ぶための操作信号を、リモコン受信回路７を介してＣＰＵ１０に出力する。
【００３２】
表示部８は、例えば、液晶ディスプレイやプラズマディスプレイ等を備えて構成され、ＣＰＵ１０からの指示に従って、ビデオデータ（コンテンツデータ）に基づく映像の画質調整を行って、当該映像を表示する。
【００３３】
スピーカ９は、例えば、ＣＰＵ１０からの指示に従って、オーディオデータ（コンテンツデータ）に基づく音声を出力する。
【００３４】
ＣＰＵ１０は、記憶部１３に格納された処理プログラム等を読み出して、ＲＡＭ１１に展開して実行することにより、デジタルテレビ２００全体の制御を行う。
【００３５】
ＲＡＭ１１は、ＣＰＵ１０により実行された処理プログラム等を、ＲＡＭ１１内のプログラム格納領域に展開するとともに、入力データや上記処理プログラムが実行される際に生じる処理結果等をデータ格納領域に格納する。
【００３６】
テレビ内データベース１２は、例えば、ＨＤＤ等を備えて構成され、機器情報と機器画質調整情報とを対応づけて記憶するとともに、コンテンツ情報とコンテンツ画質調整情報とを対応づけて記憶し、記憶手段として機能する。
【００３７】
記憶部１３は、例えば、プログラムやデータ等が予め記憶されている記録媒体（図示せず）を有しており、この記録媒体は、例えば、半導体メモリ等で構成されている。また、記憶部１３は、ＣＰＵ１０がデジタルテレビ２００全体を制御する機能を実現させるための各種データ，各種処理プログラム，これらプログラムの実行により処理されたデータ等を記憶する。より具体的には、記憶部１３は、例えば、図３に示すように、更新確認プログラム１３Ａ，取得プログラム１３Ｂ，容量確認プログラム１３Ｃ，自動選択プログラム１３Ｄ，手動選択プログラム１３Ｅ，更新プログラム１３Ｆ，調整情報取得プログラム１３Ｇ，画質調整プログラム１３Ｈ等を格納している。
【００３８】
更新確認プログラム１３Ａは、例えば、ＣＰＵ１０に、定期的に、通信部６を制御して、サーバ３００のデータベース３０１にアクセスさせ、当該データベース３０１の内容が更新されているか否かを判断する機能を実現させるプログラムである。
【００３９】
取得プログラム１３Ｂは、例えば、ＣＰＵ１０に、更新確認プログラム１３Ａを実行することによって、サーバ３００のデータベース３０１の内容が更新されたと判断した場合に、通信部６を制御して、サーバ３００のデータベース３０１にアクセスさせ、当該データベース３０１に記憶されている機器情報及び機器画質調整情報とコンテンツ情報及びコンテンツ画質調整情報と、テレビ内データベース１２に記憶されている機器情報及び機器画質調整情報とコンテンツ情報及びコンテンツ画質調整情報と、を比較して、その差分となる情報を更新情報として取得する機能を実現させるプログラムである。ＣＰＵ１０は、かかる取得プログラム１３Ｂを実行することにより、通信部６とともに、取得手段として機能する。
【００４０】
容量確認プログラム１３Ｃは、例えば、ＣＰＵ１０に、取得プログラム１３Ｂを実行することにより取得した更新情報に対して、テレビ内データベース１２の記憶容量が十分であるか否かを確認する機能を実現させるプログラムである。ＣＰＵ１０は、かかる容量確認プログラム１３Ｃを実行することにより、容量確認手段として機能する。
【００４１】
自動選択プログラム１３Ｄは、例えば、ＣＰＵ１０に、容量確認プログラム１３Ｃを実行することにより、取得プログラム１３Ｂにより取得された更新情報に対して、テレビ内データベース１２の記憶容量が十分ではないと判断した場合に、当該更新情報から当該テレビ内データベース１２を更新するのに必要な情報を選択する機能を実現させるプログラムである。
より具体的には、自動選択プログラム１３Ｄは、例えば、ＣＰＵ１０に、取得プログラム１３Ｂを実行することにより取得した更新情報から、当該デジタルテレビ２００に接続されている外部機器１００，・・・の機器名に対応する機器情報及び機器画質調整情報を選択し、及び／又は、当該デジタルテレビ２００に過去に出力したコンテンツデータのコンテンツ種類情報に対応するコンテンツ情報及びコンテンツ画質調整情報を選択する機能を実現させるプログラムである。
【００４２】
手動選択プログラム１３Ｅは、例えば、ＣＰＵ１０に、表示部８を制御して、取得プログラム１３Ｂを実行することによって取得した更新情報の一覧を表示させるとともに、自動選択プログラム１３Ｄを実行することにより選択した情報に、例えば、レ点等の印を表示させ、リモコン受信回路７を介してリモコンＲから、自動選択プログラム１３Ｄを実行することにより選択した情報以外の情報を選択する操作信号が入力されたか否か、又は、自動選択プログラム１３Ｄを実行することにより選択した情報を削減する操作信号が入力されたか否かを判断することにより、自動選択プログラム１３Ｄを実行することによって選択した情報でテレビ内データベース１２を更新して良いか否かを判断し、自動選択プログラム１３Ｄを実行することにより選択した情報以外の情報を選択する操作信号が入力された、又は、自動選択プログラム１３Ｄを実行することにより選択した情報を削減する操作信号が入力されたと判断した場合には、自動選択プログラム１３Ｄを実行することによって選択した情報でテレビ内データベース１２を更新してはいけないと判断し、リモコンＲから入力される操作信号に基づいて、取得プログラム１３Ｂを実行することによって取得した更新情報からテレビ内データベース１２を更新するための情報を選択する機能を実現させるプログラムである。ＣＰＵ１０は、手動選択プログラム１３Ｅを実行することにより、表示部８及びリモコンＲとともに、選択手段として機能する。
【００４３】
更新プログラム１３Ｆは、例えば、ＣＰＵ１０に、取得プログラム１３Ｂを実行することにより取得した更新情報に基づいて、テレビ内データベース１２を更新する機能を実現させるプログラムである。
より具体的には、更新プログラム１３Ｆは、例えば、ＣＰＵ１０に、容量確認プログラム１３Ｃを実行することによってテレビ内データベース１２の記憶容量が更新情報に対して十分であると判断した場合に、当該更新情報に基づいてテレビ内データベース１２を更新し、容量確認プログラム１３Ｃを実行することによってテレビ内データベース１２の記憶容量が更新情報に対して十分ではないと判断した場合に、自動選択プログラム１３Ｄ及び手動選択プログラム１３Ｅを実行することにより選択した情報に基づいてテレビ内データベース１２を更新する機能を実現させるプログラムである。
ＣＰＵ１０は、かかる更新プログラム１３Ｆを実行することにより、更新手段として機能する。
【００４４】
調整情報取得プログラム１３Ｇは、例えば、ＣＰＵ１０に、デジタルテレビ２００に接続された外部機器１００により送信されるコンテンツデータを当該デジタルテレビ２００において出力する際に、当該外部機器１００の機器情報に対応する機器画質調整情報と、当該コンテンツのコンテンツ情報に対応するコンテンツ画質調整情報とをテレビ内データベース１２から取得する機能を実現させるプログラムである。ＣＰＵ１０は、かかる調整情報取得プログラム１３Ｇを実行することにより、調整情報取得手段として機能する。
【００４５】
画質調整プログラム１３Ｈは、例えば、ＣＰＵ１０に、調整情報取得プログラム１３Ｇを実行することにより取得した機器画質調整情報とコンテンツ画質調整情報とに基づいて、所定の演算により総合画質調整情報を算出し、当該総合画質調整情報に基づいて画質調整を行う機能を実現させるプログラムである。
より具体的には、画質調整プログラム１３Ｈは、例えば、ＣＰＵ１０に、調整情報取得プログラム１３Ｇを実行することにより取得した機器画質調整情報とコンテンツ画質調整情報とに重み付けを行った後に平均値を算出し、当該平均値を総合画質調整情報とし、表示部８を制御して、当該総合画質調整情報に基づいて画質調整を行わせる機能を実現させるプログラムである。
ＣＰＵ１０は、かかる画質調整プログラム１３Ｈを実行することにより、画質調整手段として機能する。
【００４６】
次に、上述のような構成の本発明の第１の実施形態に係る映像出力システム１０００におけるテレビ内データベース１２の更新動作の一例について、図４に示すフローチャートを参照しながら説明する。
まず、ＣＰＵ１０は、更新確認プログラム１３Ａを実行することにより、定期的に、通信部６を制御して、サーバ３００のデータベース３０１にアクセスさせ、当該データベース３０１の内容が更新されているか否かを判断する（ステップＳ１）。
【００４７】
ステップＳ１において、ＣＰＵ１０が、データベース３０１の内容が更新されていないと判断した場合には（ステップＳ１；Ｎｏ）、ＣＰＵ１０は、定期的にステップＳ１の処理を繰り返す。
ステップＳ１において、ＣＰＵ１０が、データベース３０１の内容が更新されたと判断した場合には（ステップＳ１；Ｙｅｓ）、ＣＰＵ１０は、取得プログラム１３Ｂを実行することにより、サーバ３００のデータベース３０１に記憶されている機器情報及び機器画質調整情報とコンテンツ情報及びコンテンツ画質調整情報と、テレビ内データベース１２に記憶されている機器情報及び機器画質調整情報とコンテンツ情報及びコンテンツ画質調整情報と、を比較して、その差分となる情報を更新情報として取得する（ステップＳ２）。
【００４８】
次に、ＣＰＵ１０は、容量確認プログラム１３Ｃを実行することにより、取得プログラム１３Ｂを実行することにより取得した更新情報に対して、テレビ内データベース１２の記憶容量が十分であるか否かを確認する（ステップＳ３）。
【００４９】
ステップＳ３において、ＣＰＵ１０が、更新情報に対して、テレビ内データベース１２の記憶容量が十分であると判断した場合には（ステップＳ３；Ｙｅｓ）、ＣＰＵ１０は、更新プログラム１３Ｆを実行することにより、当該更新情報に基づいてテレビ内データベース１２を更新して（ステップＳ４）、本処理を終了する。
ステップＳ３において、ＣＰＵ１０が、更新情報に対して、テレビ内データベース１２の記憶容量が十分ではないと判断した場合には（ステップＳ３；Ｎｏ）、ＣＰＵ１０は、自動選択プログラム１３Ｄを実行することにより、ステップＳ２において取得した更新情報から、当該デジタルテレビ２００に接続されている外部機器１００，・・・の機器名に対応する機器情報及び機器画質調整情報を選択し、及び／又は、当該デジタルテレビ２００に過去に出力したコンテンツデータのコンテンツ種類情報に対応するコンテンツ情報及びコンテンツ画質調整情報を選択する（ステップＳ５）。
【００５０】
次に、ＣＰＵ１０は、手動選択プログラム１３Ｅを実行することにより、表示部８を制御して、取得プログラム１３Ｂを実行することによって取得した更新情報の一覧を表示させるとともに、自動選択プログラム１３Ｄを実行することにより選択した情報に、例えば、レ点等の印を表示させる（ステップＳ６）。
【００５１】
次に、ＣＰＵ１０は、手動選択プログラム１３Ｅの実行に基づいて、リモコン受信回路７を介してリモコンＲから入力される操作信号に基づいて、自動選択プログラム１３Ｄを実行することによって選択した情報でテレビ内データベース１２を更新して良いか否かを判断する（ステップＳ７）。
【００５２】
ステップＳ７において、ＣＰＵ１０が、自動選択プログラム１３Ｄを実行することによって選択した情報でテレビ内データベース１２を更新して良いと判断した場合には（ステップＳ７；Ｙｅｓ）、ＣＰＵ１０は、更新プログラム１３Ｆを実行することにより、ステップＳ５において選択した情報に基づいて、テレビ内データベース１２を更新して（ステップＳ８）、本処理を終了する。
ステップＳ７において、ＣＰＵ１０が、自動選択プログラム１３Ｄを実行することによって選択した情報でテレビ内データベース１２を更新してはいけないと判断した場合には（ステップＳ７；Ｎｏ）、ＣＰＵ１０は、手動選択プログラム１３Ｅの実行に基づいて、リモコン受信回路７を介してリモコンＲから入力される操作信号に基づいて、取得プログラム１３Ｂを実行することによって取得した更新情報からテレビ内データベース１２を更新するための情報を選択する（ステップＳ９）。
【００５３】
次に、ＣＰＵ１０は、更新プログラム１３Ｆを実行することにより、ステップＳ９において選択した情報に基づいてテレビ内データベース１２を更新して（ステップＳ１０）、本処理を終了する。
【００５４】
次に、本発明の第１の実施形態に係る映像出力システム１０００における画質調整動作の一例について、図５に示すフローチャートを参照しながら説明する。
まず、外部機器１００においてコンテンツが再生され（ステップＳ１０１）、当該外部機器１００から機器情報及びコンテンツ情報が入力されると（ステップＳ１０２）、ＣＰＵ１０は、調整情報取得プログラム１３Ｇを実行することにより、当該機器情報に対応する機器画質調整情報と、当該コンテンツ情報に対応するコンテンツ画質調整情報とをテレビ内データベース１２から取得する（ステップＳ１０３）。
【００５５】
次に、ＣＰＵ１０は、画質調整プログラム１３Ｈを実行することにより、ステップＳ１０３において取得した機器画質調整情報とコンテンツ画質調整情報とに重み付けを行った後に平均値を算出し、当該平均値を総合画質調整情報とし、表示部８を制御して、当該総合画質調整情報に基づいて画質調整を行わせ（ステップＳ１０４）、本処理を終了する。
【００５６】
以上に説明した本発明の第１の実施形態に係る映像出力システム１０００によれば、デジタルテレビ２００において、テレビ内データベース１２により、外部機器１００，・・・を分類するための所定の機器情報と、当該外部機器１００により送信されるコンテンツデータに基づく映像を当該デジタルテレビ２００において出力する際の画質を調整するための機器画像調整情報と、を対応づけて記憶するとともに、コンテンツを分類するための所定のコンテンツ情報と、当該コンテンツのコンテンツデータに基づく映像を当該デジタルテレビ２００において出力する際の画質を調整するためのコンテンツ画質調整情報とが対応づけられて記憶され、外部機器１００により送信されるコンテンツデータに基づく映像を出力する際に、ＣＰＵ１０が調整情報取得プログラム１３Ｇを実行することにより、当該外部機器１００の機器情報に対応する機器画質調整情報と、当該コンテンツのコンテンツ情報に対応するコンテンツ画質調整情報とがテレビ内データベース１２から取得され、ＣＰＵ１０が画質調整プログラム１３Ｈを実行することにより、調整情報取得プログラム１３Ｇを実行することによって取得した機器画質調整情報とコンテンツ画質調整情報とに基づいて、所定の演算により総合画質調整情報が算出され、当該総合画質調整情報に基づいて、画質調整が行われるので、外部機器１００，・・・及びコンテンツの種類等の分類に応じた画質調整が行われることとなって、外部機器１００，・・・及びコンテンツの種類等の分類に応じてよりよい画質に調整することができる。
【００５７】
また、デジタルテレビ２００において、ＣＰＵ１０が取得プログラム１３Ｂを実行することにより、機器情報及び機器画質調整情報と、コンテンツ情報及びコンテンツ画質調整情報とが取得され、ＣＰＵ１０が更新プログラム１３Ｆを実行することにより、取得した機器情報及び機器画質調整情報と、コンテンツ情報及びコンテンツ画質調整情報とに基づいて、テレビ内データベース１２が更新されるので、テレビ内データベース１２に記憶される機器情報及び機器画質調整情報と、コンテンツ情報及びコンテンツ画質調整情報とを新しい情報に保つことができ、新たな外部機器１００が接続されたり、新たなコンテンツのコンテンツデータが送信されても、好適に画質調整を行うことができる。
【００５８】
また、デジタルテレビ２００において、ＣＰＵ１０が容量確認プログラム１３Ｃを実行することにより、更新プログラム１３Ｆを実行してテレビ内データベース１２の更新を行う際に、テレビ内データベース１２の記憶容量が更新される情報に対して十分であるか否かが確認され、ＣＰＵ１０は、容量確認プログラム１３Ｃを実行することによって、テレビ内データベース１２の記憶容量が更新される情報に対して十分であると判断された場合に、更新プログラム１３Ｆを実行して、テレビ内データベース１２を更新するので、テレビ内データベース１２の記憶容量が足りなくなってエラーが生じてしまうことを防ぐことができる。
【００５９】
また、デジタルテレビ２００において、ＣＰＵ１０が手動選択プログラム１３Ｅを実行することにより、容量確認プログラム１３Ｃを実行することによって、テレビ内データベース１２の記憶容量が更新される情報に対して十分ではないと判断した場合に、取得プログラム１３Ｂを実行することによって取得した情報から必要な情報をユーザに選択させ、更新プログラム１３Ｆを実行することによって、ユーザにより選択された情報をテレビ内データベース１２に記憶させることにより、テレビ内データベース１２を更新するので、更新が必要な情報のみを選択してテレビ内データベース１２を更新することができることとなって、記憶容量の使用効率を向上できる。
【００６０】
（第２の実施形態）
本発明の第２の実施形態に係る映像出力システム２０００は、例えば、図６，図７に示すように、サーバ３００を備えず、デジタルテレビ２０１の構成のみが第１の実施形態に係る映像出力システム１０００と異なるので、同一の構成については同一の符号を付すとともに、その説明を省略する。
【００６１】
デジタルテレビ２０１は、例えば、図３に示すように、アンテナ１，チューナ部２，復調部３，分離部４，デコーダ５，通信部６０，リモコン受信回路７，リモコンＲ，表示部８，スピーカ９，ＣＰＵ（Central  Processing  Unit）１０，ＲＡＭ（Random  Access  Memory）１１，テレビ内データベース１２，記憶部１３０，メモリスロット１４等を備えて構成されている。
【００６２】
通信部６０は、例えば、外部機器１００，・・・とデジタルテレビ２０１との間の通信を行う。
【００６３】
メモリスロット１４は、例えば、メモリカードに記憶された機器情報及び機器画質調整情報と、コンテンツ情報及びコンテンツ画質調整情報とを読み取る。
【００６４】
記憶部１３０は、例えば、プログラムやデータ等が予め記憶されている記録媒体（図示せず）を有しており、この記録媒体は、例えば、半導体メモリ等で構成されている。また、記憶部１３０は、ＣＰＵ１０がデジタルテレビ２０１全体を制御する機能を実現させるための各種データ，各種処理プログラム，これらプログラムの実行により処理されたデータ等を記憶する。より具体的には、記憶部１３０は、例えば、図７に示すように、取得プログラム１３０Ｂ，容量確認プログラム１３Ｃ，自動選択プログラム１３Ｄ，手動選択プログラム１３Ｅ，更新プログラム１３Ｆ，調整情報取得プログラム１３Ｇ，画質調整プログラム１３Ｈ等を格納している。
【００６５】
取得プログラム１３０Ｂは、例えば、ＣＰＵ１０に、メモリスロット１４によりメモリカードから読み取られた機器情報及び機器画質調整情報とコンテンツ情報及びコンテンツ画質調整情報と、テレビ内データベース１２に記憶されている機器情報及び機器画質調整情報とコンテンツ情報及びコンテンツ画質調整情報と、を比較して、その差分となる情報を更新情報として取得する機能を実現させるプログラムである。ＣＰＵ１０は、かかる取得プログラム１３０Ｂを実行することにより、メモリスロット１４とともに、取得手段として機能する。
【００６６】
次に、上述のような構成の本発明の第２の実施形態に係る映像出力システム２０００におけるテレビ内データベース１２の更新動作の一例について、図８に示すフローチャートを参照しながら説明する。
まず、メモリスロット１４にメモリカードが挿入されて、メモリスロット１４によりメモリカードに記憶された機器情報及び機器画質調整情報と、コンテンツ情報及びコンテンツ画質調整情報と、が読み取られると（ステップＳ２０１）、ＣＰＵ１０は、取得プログラム１３０Ｂを実行することにより、メモリスロット１４により読み取られた機器情報及び機器画質調整情報とコンテンツ情報及びコンテンツ画質調整情報と、テレビ内データベース１２に記憶されている機器情報及び機器画質調整情報とコンテンツ情報及びコンテンツ画質調整情報と、を比較して、その差分となる情報を更新情報として取得する（ステップＳ２０２）。
【００６７】
次に、ＣＰＵ１０は、容量確認プログラム１３Ｃを実行することにより、取得プログラム１３０Ｂを実行することにより取得した更新情報に対して、テレビ内データベース１２の記憶容量が十分であるか否かを確認する（ステップＳ２０３）。
【００６８】
ステップＳ２０３において、ＣＰＵ１０が、更新情報に対して、テレビ内データベース１２の記憶容量が十分であると判断した場合には（ステップＳ２０３；Ｙｅｓ）、ＣＰＵ１０は、更新プログラム１３Ｆを実行することにより、当該更新情報に基づいてテレビ内データベース１２を更新して（ステップＳ２０４）、本処理を終了する。
ステップＳ２０３において、ＣＰＵ１０が、更新情報に対して、テレビ内データベース１２の記憶容量が十分ではないと判断した場合には（ステップＳ２０３；Ｎｏ）、ＣＰＵ１０は、自動選択プログラム１３Ｄを実行することにより、ステップＳ２０２において取得した更新情報から、当該デジタルテレビ２０１に接続されている外部機器１００，・・・の機器名に対応する機器情報及び機器画質調整情報を選択し、及び／又は、当該デジタルテレビ２０１に過去に出力したコンテンツデータのコンテンツ種類情報に対応するコンテンツ情報及びコンテンツ画質調整情報を選択する（ステップＳ２０５）。
【００６９】
次に、ＣＰＵ１０は、手動選択プログラム１３Ｅを実行することにより、表示部８を制御して、取得プログラム１３０Ｂを実行することによって取得した更新情報の一覧を表示させるとともに、自動選択プログラム１３Ｄを実行することにより選択した情報に、例えば、レ点等の印を表示させる（ステップＳ２０６）。
【００７０】
次に、ＣＰＵ１０は、手動選択プログラム１３Ｅの実行に基づいて、リモコン受信回路７を介してリモコンＲから入力される操作信号に基づいて、自動選択プログラム１３Ｄを実行することによって選択した情報でテレビ内データベース１２を更新して良いか否かを判断する（ステップＳ２０７）。
【００７１】
ステップＳ２０７において、ＣＰＵ１０が、自動選択プログラム１３Ｄを実行することによって選択した情報でテレビ内データベース１２を更新して良いと判断した場合には（ステップＳ２０７；Ｙｅｓ）、ＣＰＵ１０は、更新プログラム１３Ｆを実行することにより、ステップＳ２０５において選択した情報に基づいて、テレビ内データベース１２を更新して（ステップＳ２０８）、本処理を終了する。
ステップＳ２０７において、ＣＰＵ１０が、自動選択プログラム１３Ｄを実行することによって選択した情報でテレビ内データベース１２を更新してはいけないと判断した場合には（ステップＳ２０７；Ｎｏ）、ＣＰＵ１０は、手動選択プログラム１３Ｅの実行に基づいて、リモコン受信回路７を介してリモコンＲから入力される操作信号に基づいて、取得プログラム１３０Ｂを実行することによって取得した更新情報からテレビ内データベース１２を更新するための情報を選択する（ステップＳ２０９）。
【００７２】
次に、ＣＰＵ１０は、更新プログラム１３Ｆを実行することにより、ステップＳ２０９において選択した情報に基づいてテレビ内データベース１２を更新して（ステップＳ２１０）、本処理を終了する。
【００７３】
なお、第２の実施形態に係る映像出力システム２０００における画像調整動作は、第１の実施形態に係る映像出力システム１０００における画像調整動作と同様である。
【００７４】
以上に説明した本発明の第２の実施形態に係る映像出力システム２０００によれば、デジタルテレビ２０１において、テレビ内データベース１２により、外部機器１００，・・・を分類するための所定の機器情報と、当該外部機器１００により送信されるコンテンツデータに基づく映像を当該デジタルテレビ２０１において出力する際の画質を調整するための機器画像調整情報と、を対応づけて記憶するとともに、コンテンツを分類するための所定のコンテンツ情報と、当該コンテンツのコンテンツデータに基づく映像を当該デジタルテレビ２０１において出力する際の画質を調整するためのコンテンツ画質調整情報とが対応づけられて記憶され、外部機器１００により送信されるコンテンツデータに基づく映像を出力する際に、ＣＰＵ１０が調整情報取得プログラム１３Ｇを実行することにより、当該外部機器１００の機器情報に対応する機器画質調整情報と、当該コンテンツのコンテンツ情報に対応するコンテンツ画質調整情報とがテレビ内データベース１２から取得され、ＣＰＵ１０が画質調整プログラム１３Ｈを実行することにより、調整情報取得プログラム１３Ｇを実行することによって取得した機器画質調整情報とコンテンツ画質調整情報とに基づいて、所定の演算により総合画質調整情報が算出され、当該総合画質調整情報に基づいて、画質調整が行われるので、外部機器１００，・・・及びコンテンツの種類等の分類に応じた画質調整が行われることとなって、外部機器１００，・・・及びコンテンツの種類等の分類に応じてよりよい画質に調整することができる。
【００７５】
また、デジタルテレビ２０１において、ＣＰＵ１０が取得プログラム１３０Ｂを実行することにより、機器情報及び機器画質調整情報と、コンテンツ情報及びコンテンツ画質調整情報とが取得され、ＣＰＵ１０が更新プログラム１３Ｆを実行することにより、取得した機器情報及び機器画質調整情報と、コンテンツ情報及びコンテンツ画質調整情報とに基づいて、テレビ内データベース１２が更新されるので、テレビ内データベース１２に記憶される機器情報及び機器画質調整情報と、コンテンツ情報及びコンテンツ画質調整情報とを新しい情報に保つことができ、新たな外部機器１００が接続されたり、新たなコンテンツのコンテンツデータが送信されても、好適に画質調整を行うことができる。
【００７６】
また、デジタルテレビ２０１において、ＣＰＵ１０が容量確認プログラム１３Ｃを実行することにより、更新プログラム１３Ｆを実行してテレビ内データベース１２の更新を行う際に、テレビ内データベース１２の記憶容量が更新される情報に対して十分であるか否かが確認され、ＣＰＵ１０は、容量確認プログラム１３Ｃを実行することによって、テレビ内データベース１２の記憶容量が更新される情報に対して十分であると判断された場合に、更新プログラム１３Ｆを実行して、テレビ内データベース１２を更新するので、テレビ内データベース１２の記憶容量が足りなくなってエラーが生じてしまうことを防ぐことができる。
【００７７】
また、デジタルテレビ２０１において、ＣＰＵ１０が手動選択プログラム１３Ｅを実行することにより、容量確認プログラム１３Ｃを実行することによって、テレビ内データベース１２の記憶容量が更新される情報に対して十分ではないと判断した場合に、取得プログラム１３０Ｂを実行することによって取得した情報から必要な情報をユーザに選択させ、更新プログラム１３Ｆを実行することによって、ユーザにより選択された情報をテレビ内データベース１２に記憶させることにより、テレビ内データベース１２を更新するので、更新が必要な情報のみを選択してテレビ内データベース１２を更新することができることとなって、記憶容量の使用効率を向上できる。
【００７８】
（変形例）
第１の実施形態及び第２の実施形態では、外部機器１００とデジタルテレビ２００（２０１）とがＤＬＮＡ等のネットワークにより接続されることとしたが、本発明の範囲はこれに限られるものではなく、外部機器１００とデジタルテレビ２００（２０１）とは、ケーブル等により電気的に接続されるように変形されてもよい。
本変形例の場合には、画質調整動作において、外部機器１００から機器情報及びコンテンツ情報がデジタルテレビ２００（２０１）に送信されない。ここで、本変形例における画質調整動作の一例について、図９に示すフローチャートを参照しながら説明する。
まず、リモコンＲからリモコン受信回路７を介して、コンテンツを再生する外部機器１００の機器情報及び当該コンテンツのコンテンツ情報が入力され（ステップＳ３０１）、当該外部機器１００においてコンテンツが再生されると（ステップＳ３０２）、ＣＰＵ１０は、調整情報取得プログラム１３Ｇを実行することにより、当該機器情報に対応する機器画質調整情報と、当該コンテンツ情報に対応するコンテンツ画質調整情報とをテレビ内データベース１２から取得する（ステップＳ３０３）。
【００７９】
次に、ＣＰＵ１０は、画質調整プログラム１３Ｈを実行することにより、ステップＳ３０３において取得した機器画質調整情報とコンテンツ画質調整情報とに重み付けを行った後に平均値を算出し、当該平均値を総合画質調整情報とし、表示部８を制御して、当該総合画質調整情報に基づいて画質調整を行わせ（ステップＳ３０４）、本処理を終了する。
【００８０】
なお、第１の実施形態において、ＣＰＵ１０は、更新確認プログラム１３Ａを実行することにより、サーバ３００のデータベース３０１に記憶されている内容が更新されたか否かを定期的に確認することとしたが、リモコンＲから更新確認を行う操作信号が入力された時に確認することとしてもよい。
また、第２の実施形態において、機器情報及び機器画質調整情報と、コンテンツ情報及びコンテンツ画質調整情報がメモリカードに記憶されていることとしたが、メモリカードに限定されるものではなく、当該機器情報及び機器画質調整情報と、コンテンツ情報及びコンテンツ画質調整情報を記憶することができる記録媒体であればなんであってもよく、ＣＤ−ＲＯＭ等であってもよい。
また、総合画質調整情報を算出する方法は、本実施形態に記載された方法には限られず、任意の方法が用いられてよい。例えば、コンテンツ種類により重み付けの値が異なってもよい。
【図面の簡単な説明】
【００８１】
【図１】本発明の第１の実施形態に係る映像出力システムの概略構成を示す図である。
【図２】本発明の第１の実施形態に係るデータベースのデータ構造の一例を示す図である。
【図３】本発明の第１の実施形態に係るデジタルテレビの構成の一例を示すブロック図である。
【図４】本発明の第１の実施形態に係る映像出力システムにおけるテレビ内データベースの更新動作の一例を説明するフローチャートである。
【図５】本発明の第１の実施形態に係る映像出力システムにおける画質調整動作の一例を説明するフローチャートである。
【図６】本発明の第２の実施形態に係る映像出力システムの概略構成を示す図である。
【図７】本発明の第２の実施形態に係るデジタルテレビの構成の一例を示すブロック図である。
【図８】本発明の第２の実施形態に係る映像出力システムにおけるテレビ内データベースの更新動作の一例を説明するフローチャートである。
【図９】本発明の実施形態の変形例における画質調整動作の一例を説明するフローチャートである。
【符号の説明】
【００８２】
６  通信部（取得手段）
８  表示部（選択手段）
１０  ＣＰＵ（取得手段，容量確認手段，選択手段，更新手段，調整情報取得手段，画質調整手段）
１２  テレビ内データベース（記憶手段）
１３Ｂ，１３０Ｂ  取得プログラム（取得手段）
１３Ｃ  容量確認プログラム（容量確認手段）
１３Ｅ  手動選択プログラム（選択手段）
１３Ｆ  更新プログラム（更新手段）
１３Ｇ  調整情報取得プログラム（調整情報取得手段）
１３Ｈ  画質調整プログラム（画質調整手段）
１４  メモリスロット（取得手段）
１００  外部機器
２００  デジタルテレビ（テレビジョン装置，映像出力装置）
１０００，２０００  映像出力システム
Ｒ  リモコン（選択手段）
【図１】
2008035046.tif 000003
【図２】
2008035046.tif 000004
【図３】
2008035046.tif 000005
【図４】
2008035046.tif 000006
【図５】
2008035046.tif 000007
【図６】
2008035046.tif 000008
【図７】
2008035046.tif 000009
【図８】
2008035046.tif 000010
【図９】
2008035046.tif 000011